(57)【要約】【課題】  軸部に対する回転部の変位量が同じである場合でも、回転部がゴム材に押し当てられる力が変更可能であるタイヤ製造装置を提供する。【解決手段】  タイヤ製造装置は、環状に形成されて且つ外周部がゴム材に押し当てられる複数の回転部と、複数の回転部の内部に挿入される軸部と、内部に圧力媒体が入れられ、軸部と回転部との間に配置される変形可能な袋部と、を備える。【選択図】  図４
2020108932.tif 000002
【特許請求の範囲】
【請求項１】
環状に形成され、外周部がゴム材に押し当てられる複数の回転部と、
前記複数の回転部の内部に挿入される軸部と、
内部に圧力媒体が入れられ、前記軸部と前記回転部との間に配置される変形可能な袋部と、を備える、タイヤ製造装置。
【請求項２】
前記袋部に対して前記圧力媒体を出し入れするための出入口部と、
前記出入口部を開閉する開閉部と、を備える、請求項１に記載のタイヤ製造装置。
【発明の詳細な説明】
【技術分野】
【０００１】
本発明は、タイヤ製造装置に関する。
【背景技術】
【０００２】
従来、例えば、タイヤ製造装置は、外周部がゴム材に押し当てられる複数の回転部と、複数の回転部の内部に挿入される軸部とを備えている（例えば、特許文献１）。そして、複数の回転部は、弾性部を介して、軸部に回転可能に接続されている。これにより、弾性部が弾性変形することによって、複数の回転部は、軸部に対して、軸部の径方向に変位可能である。
【０００３】
ところで、特許文献１に係るタイヤ製造装置においては、弾性部の弾性力は、不変である。したがって、回転部がゴム材に押し当てられた際に、軸部に対する回転部の変位量が同じである場合には、弾性部の変形量が同じであるため、ゴム材に押し当てられる力も、同じとなる。しかしながら、軸部に対する回転部の変位量が同じである場合でも、例えば、ゴム材の形状に応じて、ゴム材に押し当てられる力を変えたい場合が存在する。
【先行技術文献】
【特許文献】
【０００４】
【特許文献１】特開２０１８−４３３８９号公報
【発明の概要】
【発明が解決しようとする課題】
【０００５】
そこで、課題は、軸部に対する回転部の変位量が同じである場合でも、回転部がゴム材に押し当てられる力が変更可能であるタイヤ製造装置を提供することである。
【課題を解決するための手段】
【０００６】
タイヤ製造装置は、環状に形成されて且つ外周部がゴム材に押し当てられる複数の回転部と、前記複数の回転部の内部に挿入される軸部と、内部に圧力媒体が入れられ、前記軸部と前記回転部との間に配置される変形可能な袋部と、を備える。
【０００７】
また、タイヤ製造装置は、前記袋部に対して前記圧力媒体を出し入れするための出入口部と、前記出入口部を開閉する開閉部と、を備える、という構成でもよい。
【図面の簡単な説明】
【０００８】
【図１】図１は、一実施形態に係るタイヤ製造装置の模式図であって、斜視図である。
【図２】図２は、同実施形態に係るタイヤ製造装置の模式図であって、側面図である。
【図３】図３は、同実施形態に係るタイヤ製造装置の要部概要図である。
【図４】図４は、図３のIV−IV線の拡大断面図である。
【図５】図５は、図３のＶ−Ｖ線の拡大断面図である。
【図６】図６は、他の実施形態に係るタイヤ製造装置の要部概要図である。
【図７】図７は、さらに他の実施形態に係るタイヤ製造装置の要部概要図である。
【発明を実施するための形態】
【０００９】
以下、タイヤ製造装置における一実施形態について、図１〜図５を参照しながら説明する。なお、各図（図６及び図７も同様）において、図面の寸法比と実際の寸法比とは、必ずしも一致しておらず、また、各図面の間での寸法比も、必ずしも一致していない。
【００１０】
図１及び図２に示すように、本実施形態に係るタイヤ製造装置１は、ゴム材Ｘ１，Ｘ２を支持する支持装置２を備えている。また、タイヤ製造装置１は、支持装置２に支持されるゴム材Ｘ１，Ｘ２に押し当てられる押当装置３を備えている。
【００１１】
支持装置２は、円筒状に形成され、回転可能に構成されている。そして、帯状のゴム材Ｘ１，Ｘ２が、回転する支持装置２の外周に巻き付けられることによって、支持装置２は、ゴム材Ｘ１，Ｘ２を支持している。このとき、押当装置３がゴム材Ｘ１，Ｘ２に押し当てられることによって、ゴム材Ｘ１，Ｘ２同士が密着する。
【００１２】
なお、支持装置２は、斯かる構成に限られない。例えば、支持装置２が平面状に形成され、ゴム材Ｘ１，Ｘ２が支持装置２に載置されることによって、支持装置２は、ゴム材Ｘ１，Ｘ２を支持している、という構成でもよい。斯かる構成においては、支持装置２と押当装置３とがゴム材Ｘ１，Ｘ２の長手方向に沿って相対的に変位する。
【００１３】
図３〜図５に示すように、押当装置３は、環状に形成される複数の回転部４と、複数の回転部４の内部に挿入される軸部５と、軸部５と回転部４との間に配置される変形可能な袋部６とを備えている。複数の回転部４は、軸部５の軸方向に並列されている。また、全ての回転部４の幅寸法は、同じである。
【００１４】
回転部４の幅寸法は、特に限定されないが、例えば、２ｍｍ〜５ｍｍとすることができる。そして、回転部４の外径は、特に限定されないが、例えば、１０ｍｍ〜２０ｍｍとすることができる。また、回転部４，４同士の隙間は、特に限定されないが、例えば、０〜０．５ｍｍとすることができる。
【００１５】
そして、押当装置３は、軸部５の軸方向に並列されている複数の回転部４を、軸部５に対して保持させる保持部７を備えている。保持部７は、複数の回転部４を軸部５の軸方向で挟む一対の挟持部７ａ，７ａと、一対の挟持部７ａ，７ａをそれぞれ軸部５に固定する固定部７ｂとを備えている。
【００１６】
また、押当装置３は、回転部４が軸部５に対して円滑に回転可能となるように、回転部４の内周部に固定される軸受部８を備えている。軸受部８は、回転部４の内周部に固定される外環部８ａと、外環部８ａの内部に配置される内環部８ｂと、外環部８ａと内環部８ｂとの間に配置される複数の転動部８ｃとを備えている。
【００１７】
これにより、外環部８ａが、内環部８ｂに対して回転することができるため、回転部４は、軸部５に対して回転することができる。したがって、回転部４の外周部がゴム材Ｘ１，Ｘ２に押し当てられて、且つ、支持装置２が回転することによって、回転部４は、軸部５周りを回転する。
【００１８】
軸部５は、軸受部８の内環部８ｂの内部に配置されている。軸部５の断面形状においては、第１径方向Ｄ１の幅寸法は、第１径方向Ｄ１と直交する第２径方向Ｄ２の幅寸法よりも、小さくなっている。本実施形態においては、軸部５の断面形状は、長方形状である。即ち、軸部５は、第１径方向Ｄ１で離れている第１平面５ａ，５ａと、第２径方向Ｄ２で離れている第２平面５ｂ、５ｂとを備えている。なお、軸部５の断面形状は、特に限定されない。
【００１９】
袋部６は、二つ設けられており、軸部５と軸受部８との間にそれぞれ配置されている。具体的には、二つの袋部６は、軸部５の第１面５ａと軸受部８の内環部８ｂとの間にそれぞれ配置されている。そして、押当装置３は、軸部５とゴム材Ｘ１，Ｘ２との間に一方の袋部６を配置するように、支持装置２に対して位置決めされている。
【００２０】
袋部６の内部には、圧力媒体が入れられている。なお、圧力媒体は、特に限定されず、例えば、気体（例えば、空気、窒素ガス）又は液体（例えば、油、水）とすることができるが、本実施形態においては、圧力媒体は、圧縮空気としている。また、袋部６は、変形可能であればよく、袋部６の材質は、特に限定されず、例えば、布又はゴムとすることができる。
【００２１】
そして、図５に示すように、ゴム材Ｘ１，Ｘ２の表面に凹凸がある場合には、回転部４の外周部がゴム材Ｘ１，Ｘ２に押し当てられることによって、袋部６が変形する。これにより、複数の回転部４が、軸部５に対して、軸部５の第１径方向Ｄ１に変位する。したがって、ゴム材Ｘ１，Ｘ２の表面に凹凸がある場合でも、ゴム材Ｘ１，Ｘ２同士が確実に密着する。
【００２２】
図３に戻り、タイヤ製造装置１は、袋部６に圧力媒体を供給する媒体源９と、袋部６に対して圧力媒体を出し入れするための出入口部１０と、出入口部１０を開閉する開閉部１１とを備えている。なお、出入口部１０は、袋部６の内部に圧力媒体を入れるための入口部１０ａと、袋部６の内部から圧力媒体を出すための出口部１０ｂとを備えている。
【００２３】
開閉部１１は、媒体源９からの圧力媒体を入口部１０ａに流入させる流入部１１ａと、出口部１０ｂからの圧力媒体を外部に流出させる流出部１１ｂとを備えている。そして、流入部１１ａは、入口部１０ａを開閉する入口弁１１ｃを備え、流出部１１ｂは、出口部１０ｂを開閉する出口弁１１ｄを備えている。
【００２４】
これにより、開閉部１１の入口弁１１ｃ及び出口弁１１ｄを開閉することによって、入口部１０ａ及び出口部１０ｂが開閉されるため、袋部６の内部の圧力を変更することができる。したがって、軸部５に対する回転部４の変位量が同じである場合でも、ゴム材Ｘ１，Ｘ２に押し当てられる力を変更することができるため、回転部４がゴム材Ｘ１，Ｘ２に押し当てられる力を適正に設定することができる。
【００２５】
また、本実施形態においては、一対の袋部６，６の内部の圧力は、それぞれ個別に変更可能に、構成されている。即ち、タイヤ製造装置１は、二つの袋部６，６に対して、それぞれ出入口部１０及び開閉部１１を備えている。なお、一対の袋部６，６の内部の圧力が同じとなるように、一対の袋部６，６は、連通している、という構成でもよい。また、タイヤ製造装置１は、袋部６の内部の圧力の変更を容易にするために、袋部６の内部の圧力を検出する圧力検出部１２を備えていてもよい。
【００２６】
以上より、本実施形態に係るタイヤ製造装置１は、環状に形成されて且つ外周部がゴム材Ｘ１，Ｘ２に押し当てられる複数の回転部４と、前記複数の回転部４の内部に挿入される軸部５と、内部に圧力媒体が入れられ、前記軸部５と前記回転部４との間に配置される変形可能な袋部６と、を備える。
【００２７】
斯かる構成によれば、袋部６は、軸部５と回転部４との間に配置されている。そして、袋部６が変形することによって、複数の回転部４は、軸部５に対して、軸部５の径方向Ｄ１に変位可能である。しかも、袋部６の内部の圧力が変更されることによって、軸部５に対する回転部４の変位量が同じである場合でも、回転部４がゴム材Ｘ１，Ｘ２に押し当てられる力が、変更可能である。
【００２８】
また、本実施形態に係るタイヤ製造装置１は、前記袋部６に対して前記圧力媒体を出し入れするための出入口部１０と、前記出入口部１０を開閉する開閉部１１と、を備える、という構成である。
【００２９】
斯かる構成によれば、開閉部１１が出入口部１０を開閉することによって、袋部６の内部から圧力媒体を出したり、袋部６の内部に圧力媒体を入れたり、袋部６の内部に圧力媒体を封入したりすることができる。これにより、袋部６の内部の圧力を変更することができる。
【００３０】
なお、タイヤ製造装置１は、上記した実施形態の構成に限定されるものではなく、また、上記した作用効果に限定されるものではない。また、タイヤ製造装置１は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００３１】
（１）上記実施形態に係るタイヤ製造装置１においては、全ての回転部４の幅寸法は、同じである、という構成である。しかしながら、タイヤ製造装置１は、斯かる構成に限られない。例えば、図６に示すように、回転部４の幅寸法は、異なる、という構成でもよい。
【００３２】
図６に係るタイヤ製造装置１においては、軸部５の軸方向の端部に配置される回転部４の幅寸法は、軸部５の軸方向の中央部に配置される回転部４の幅寸法よりも、小さい、という構成である。斯かる構成によれば、ゴム材Ｘ１，Ｘ２の端部に凹凸が存在することが多い（図５参照）ことに対して、ゴム材Ｘ１，Ｘ２に回転部４を適切に押し当てることができる。なお、軸部５の軸方向の端部に配置される回転部４の幅寸法は、軸部５の軸方向の中央部に配置される回転部４の幅寸法よりも、大きい、という構成でもよい。
【００３３】
（２）また、上記実施形態に係るタイヤ製造装置１においては、出入口部１０は、袋部６の内部に圧力媒体を入れるための入口部１０ａと、袋部６の内部から圧力媒体を出すための出口部１０ｂとを備えている、という構成である。しかしながら、タイヤ製造装置１は、斯かる構成に限られない。
【００３４】
例えば、図７に示すように、出入口部１０は、袋部６の内部に圧力媒体を入れる口部と、袋部６の内部から圧力媒体を出す口部とが、共通である、という構成でもよい。図７に係る開閉部１１は、出入口部１０を開閉する出入口弁１１ｅと、出入口弁１１ｅと媒体源９とを接続する三方弁１１ｆとを備えている。そして、以下のようにして、袋部６の内部の圧力が変更される。
【００３５】
出入口弁１１ｅが開放され、且つ、三方弁１１ｆが媒体源９と出入口弁１１ｅとを連通することによって、袋部６の内部に圧力媒体が流入される。また、出入口弁１１ｅが開放され、且つ、三方弁１１ｆが出入口弁１１ｅと外部とを連通することによって、袋部６の内部から圧力媒体が流出される。そして、出入口弁１１ｅが閉鎖されることによって、袋部６の内部に圧力媒体が封入される。
【００３６】
（３）また、上記実施形態に係るタイヤ製造装置１においては、袋部６は、二つ備えられている、という構成である。しかしながら、タイヤ製造装置１は、斯かる構成に限られない。例えば、袋部６は、一つ備えられている、という構成でもよく、また、三つ以上備えられている、という構成でもよい。
【００３７】
（４）また、上記実施形態に係るタイヤ製造装置１においては、袋部６の内部の体積が一定で、且つ、袋部６に対して圧力媒体が出し入れされることによって、袋部６の内部の圧力が変更される、という構成である。しかしながら、タイヤ製造装置１は、斯かる構成に限られない。例えば、袋部６に対して圧力媒体が出し入れされることなく、袋部６の内部の体積が変更されることによって、袋部６の内部の圧力が変更される、という構成でもよい。
【符号の説明】
【００３８】
１…タイヤ製造装置、２…支持装置、３…押当装置、４…回転部、５…軸部、５ａ…第１平面、５ｂ…第２平面、６…袋部、７…保持部、７ａ…挟持部、７ｂ…固定部、８…軸受部、８ａ…外環部、８ｂ…内環部、８ｃ…転動部、９…媒体源、１０…出入口部、１０ａ…入口部、１０ｂ…出口部、１１…開閉部、１１ａ…流入部、１１ｂ…流出部、１１ｃ…入口弁、１１ｄ…出口弁、１１ｅ…出入口弁、１１ｆ…三方弁、１２…圧力検出部、Ｄ１…第１径方向、Ｄ２…第２径方向、Ｘ１…ゴム材、Ｘ２…ゴム材
【図１】
2020108932.tif 000003
【図２】
2020108932.tif 000004
【図３】
2020108932.tif 000005
【図４】
2020108932.tif 000006
【図５】
2020108932.tif 000007
【図６】
2020108932.tif 000008
【図７】
2020108932.tif 000009